(57)【要約】【課題】使い捨ておむつ及び／又は他の補助吸収性物品との併用により、漏れの発生を防止しつつ全体としての吸収性能を向上させることができ、尿の処理に伴う経済的、労力的な負担の軽減を図ることのできる補助吸収性物品を提供すること。【解決手段】使用時に肌側に位置する液透過性の表面シート２、肌側とは反対側に位置する液透過性の裏面シート３及びこれら両シート間に介在された吸収体４からなる実質的に縦長の吸収性本体１０と、該吸収性本体１０の両側部に固定端を有し且つ前記裏面シート２側における幅方向中央側に自由端を有する、液不透過性又は撥水性の一対の液誘導用シート部５，５とを具備する補助吸収性物品１。【選択図】    図３
2004261442.tif 000002
【特許請求の範囲】
【請求項１】
使用時に肌側に位置する液透過性の表面シート、肌側とは反対側に位置する液透過性の裏面シート及びこれら両シート間に介在された吸収体からなる実質的に縦長の吸収性本体と、該吸収性本体の両側部に固定端を有し且つ前記裏面シート側における幅方向中央側に自由端を有する、液不透過性又は撥水性の一対の液誘導用シート部とを具備する補助吸収性物品。
【請求項２】
前記液誘導用シート部は、前記自由端の近傍に粘着部が設けられている請求項１記載の補助吸収性物品。
【請求項３】
前記吸収体は、吸収性コア、該吸収性コアの一面側を被覆する第１シート及び該吸収性コアの他面側を被覆する第２シートを備え、第１シート及び第２シートの色及び／又は模様を異ならせることで、前記補助吸収性物品の表裏が視覚的に区別可能になされている請求項１又は２記載の補助吸収性物品。
【発明の詳細な説明】
【０００１】
【発明の属する技術分野】
本発明は、使い捨ておむつ及び／又は他の補助吸収性物品との併用により、漏れの発生を防止しつつ全体としての吸収性能を向上させることができ、尿の処理に伴う経済的、労力的な負担の一層の軽減を図ることのできる補助吸収性物品に関する。
【０００２】
【従来の技術及び発明が解決しようとする課題】
近年、尿の処理に伴う経済的、労力的な負担の軽減を目的として、尿吸収用パッド（他の補助吸収性物品）を、使い捨ておむつや下着等と併用することが行われている。
【０００３】
しかし、従来の尿吸収用パッドは、多量の液が排泄され、その全量を吸収体で吸収しきれないような場合等には、吸収しきれなかった液がおむつ幅方向両側から漏れ出しやすいという問題があった。
【０００４】
特許文献１には、液透過性のトップシート、該トップシートを通過した液を吸収する吸収コアを備え、該吸収コアにおける前記トップシート側とは反対側に、吸収コアを透過した液を透過させる液透過性の裏面シートが配された尿吸収用パッドが開示されている。この尿吸収用パッドは、尿吸収用パッドで吸収された液の一部を裏面シート側から透過させることにより、側縁からの漏れを防止できるものである。しかし、この尿吸収用パッドにおいては、吸収体にヨレが生じた場合には、該吸収体から使い捨ておむつ等への液の移行が妨げられたり、尿吸収用パッドの両側部に液が多量に集中して尿漏れを生じる恐れがあった。
【０００５】
【特許文献１】
特開昭６３−３０９６０１号公報
【０００６】
従って、本発明の目的は、使い捨ておむつ及び／又は他の補助吸収性物品との併用により、漏れの発生を防止しつつ全体としての吸収性能を向上させることができ、尿の処理に伴う経済的、労力的な負担の一層の軽減を図ることのできる補助吸収性物品を提供することにある。
【０００７】
【課題を解決するための手段】
本発明は、使用時に肌側に位置する液透過性の表面シート、肌側とは反対側に位置する液透過性の裏面シート及びこれら両シート間に介在された吸収体からなる実質的に縦長の吸収性本体と、該吸収性本体の両側部に固定端を有し且つ前記裏面シート側における幅方向中央側に自由端を有する、液不透過性又は撥水性の一対の液誘導用シート部とを具備する補助吸収性物品を提供することにより、前記目的を達成したものである。
【０００８】
【発明の実施の形態】
以下、本発明をその好ましい実施形態に基づいて詳細に説明する。
本発明の一実施形態としての補助吸収性物品１は、図１〜３に示すように、使用時に肌側に位置する液透過性の表面シート２、肌側とは反対側に位置する液透過性の裏面シート３及びこれら両シート間に介在された吸収体４からなる実質的に縦長の吸収性本体１０と、該吸収性本体１０の両側部に固定端５１を有し且つ前記裏面シート３側における幅方向中央側に自由端５２を有する、液不透過性又は撥水性の一対の液誘導用シート部５，５とを具備する。
【０００９】
補助吸収性物品１は、非使用状態において、平面視して長方形状の扁平形状を有しており、使用時には、表面シート２側の面を着用者の肌側、裏面シート３側の面をその反対側に向けた状態として使用される（図３参照）。
【００１０】
吸収性本体１０も同様に平面視して長方形状の扁平形状を有しており、その内部に、縦長長方形状の吸収体３が、その長手方向を吸収性本体１０の長手方向と一致させ且つ表面シート２と裏面シート３との間に挟持固定された状態で保持されている。
表面シート２及び裏面シート３は、それぞれ液透過性であり、表面シート２と裏面シート３とは、吸収体４の長手方向の両端縁よりも外方に延出する部分において互いに接合されている。裏面シート３の両側縁部は、吸収性本体１０の表面シート２側に巻き上げられ、該表面シート２の両側縁部に接合されている。
【００１１】
各液誘導用シート部５は、それぞれ液不透過性又は撥水性で帯状のシート材５４を吸収性本体１０に固定して形成されており、各液誘導用シート部５は、吸収性本体１０の両側部に固定端５１を有し且つ前記裏面シート３側における幅方向中央側に自由端５２を有している。
より具体的に説明すると、液誘導用シート部５形成用のシート材５４は、吸収性本体１０の長手方向の両端部間に亘って配され、その両端部において、表面シート２と裏面シート３との接合部１１に接合されている。
前記シート材５４の長手方向の両側縁部のうちの一方は、使用時に肌側とは反対の側（以下、非肌側という）において、吸収性本体１０の両側部に、ヒートシール、超音波シール、接着剤等の公知の接合手段により接合されており、これにより前記固定端５１が形成されている。他方、前記シート材５４の両側縁部のうちの他方は、吸収性本体１０の幅方向の中央領域に位置し、前記接合部１１に接合された部分を除いて裏面シート３上に固定されていない。そして、この裏面シート３上に固定されていない側縁部の端縁が前記自由端５２となっている。
【００１２】
液誘導用シート部５の自由端５２と、該シート部の固定端５１側の吸収性本体１０の側縁端との間の距離Ｗ１（図１参照，図１に示す非使用状態にて測定）は、該吸収性本体１０の全幅Ｗ２（図２参照）に対する割合が５〜５０％、特に２５〜４５％であることが好ましく、具体的な数値では、例えば７〜１７０ｍｍ程度とすることができる。
各液誘導用シート部５の幅（自由端５２と固定端５１との間をシート部の表面に沿って測定した距離）は、該吸収性本体１０の全幅Ｗ２に対する割合が５〜７０％、特に１０〜５０％であることが好ましい。
【００１３】
液誘導用シート部５は、液不透過性又は撥水性である。
液不透過性の液誘導用シート部は、各種公知の液不透過性のシート材、例えば、樹脂フィルム、撥水性不織布と樹脂フィルムの複合体、不織布に樹脂を塗工したもの、樹脂ラミネート不織布等を用いて形成することが好ましい。
撥水性の液誘導用シート部は、例えばスパンボンド不織布、ヒートロール不織布、メルトブローン不織布、エアスルー不織布等を用いて形成することができる。
【００１４】
本実施形態の補助吸収性物品１においては、図１及び２に示すように、各液誘導用シート部５における自由端５２の近傍に粘着部５３が設けられている。この粘着部５２は、自由端５２側の側縁部を、補助吸収性物品１と併用する、他の補助吸収性物品６又は使い捨ておむつ７（図３参照）の肌側に向けられる面上に固定するためのものであり、自由端５２側の側縁部を固定することにより、着用中に吸収体４が、図３に示すようにヨレたり湾曲した場合等においても、補助吸収性物品１の吸収体４に保持しきれない液を、補助吸収性物品１の両側部から漏れ出させることなく、補助吸収性物品６又は使い捨ておむつ７に一層確実に移行させることができる。
【００１５】
このような観点から、粘着部５３は、補助吸収性物品１の長手方向の塗工長さＬ１（図１参照）が、該吸収性本体１０の全長に対して５〜１００％、特に３０〜５０％であることが好ましく、また、自由端５２の縁端から１０ｍｍまでの領域内に設けられていることが好ましい。
粘着部５３は、各種公知の粘着剤を塗工して形成することができ、粘着剤は、連続的塗工でも間欠的塗工でも良い。粘着剤の塗工パターンとしては、べた塗りの他、ドット、ストライプ（細い線を多列配置）、スパイラル等とすることもできる。
【００１６】
本実施形態の補助吸収性物品１は、図３に示すように、他の補助吸収性物品（尿吸収性パッド等）６又は使い捨ておむつ７の肌側に向けられる面上に載置された状態で、これらの一方又は両者と共に使用される。
本実施形態の補助吸収性物品１によれば、排尿量が少ない場合には、補助吸収性物品１のみを交換でき、補助吸収性物品６及び／又は使い捨ておむつ７の交換頻度を減少させることができる。
他方、補助吸収性物品１のみでは、保持しきれないような量の尿が排泄された場合等には、裏面シート３側から、その液が補助吸収性物品６又は使い捨ておむつ７側に流れ出すことがあるが、その液は、図３中に示すように、斜めに傾斜した液誘導用シート部５，５の誘導（案内）作用によって、矢印Ｆで示すように、補助吸収性物品６又は使い捨ておむつ７における、漏れ出しが生じにくい適切な部位に誘導されて、補助吸収性物品６又は使い捨ておむつ７の吸収体に吸収される。
このように、本実施形態の補助吸収性物品によれば、漏れの発生を防止しつつ全体としての吸収性能を向上させることができ、尿の処理に伴う経済的、労力的な負担の一層の軽減を図ることができる。
尚、本実施形態における液誘導用シート部５（特に自由端５２の近傍）には、弾性部材が配設されていない。弾性部材が配設されていないことで、上述した本発明の効果が一層確実に奏される。
【００１７】
本発明の補助吸収性物品は、表裏を逆にして使用した場合には、本発明の効果が得られない。そのため、表裏が視覚的に区別可能にすることが好ましい。
視覚的に区別可能な構成として特に好ましいのは、吸収体４を、吸収性コア、該吸収性コアの一面側を被覆する第１シート及び該吸収性コアの他面側を被覆する第２シートから構成し、第１シート及び第２シートの色及び／又は模様を異ならせる方法である。この方法によれば、吸収性能に影響を与えたり、使用時の感触を損なうことなく、安価且つ安全に、表裏を視覚的に区別可能にすることができる。
【００１８】
尚、吸収性コアとしては、使い捨ておむつ等における吸収性コアとして公知の構成のもの、例えばパルプ繊維等の繊維からなる繊維集合体又はそれに高吸収性ポリマーを保持させたもの等を用いることができ、第１シート及び第２シートとしては、それぞれ液透過性のシート材を用いることができ、例えば薄葉紙や低坪量の不織布等を用いることができる。
【００１９】
本実施形態の補助吸収性物品１の形成材料について説明する。
表面シート２及び吸収体４としては、生理用ナプキン、使い捨ておむつ等の吸収性物品の表面シートや吸収体として従来用いられているもの等を特に制限なく用いることができる。裏面シート３としては、使い捨ておむつ等の吸収性物品に液透過性の材料として用いられている各種のシート等を用いることができ、例えば、不織布（特に親水性の不織布）、スパンボンド不織布、ヒートロール不織布エアスルー不織布等を用いることができる。
【００２０】
本発明は、上述した実施形態に制限されず、本発明の趣旨を逸脱しない範囲内において種々変更可能である。
例えば、上述した実施形態において、各液誘導用シート部５形成用のシート材５４を、左右の一対の両シート材５４間に所定の隙間が形成されるように配するのに代えて、両シート材５４の自由端同士の側縁部同士が突き当たるように配し、あるいは、図４に示すように、両シート材５４の自由端同士の側縁部同士が重なるように配することもできる。
また、表面シート２及び裏面シート３として、別々のシート材を用いるのに代えて、一枚のシート材を折り曲げる等して、その一部を表面シート２、他の一部を裏面シート３として用いることもできる。
更に、前記シート材５４の固定端５１側の側縁部を、吸収性本体１０の非肌側の面上に固定するのに代えて、吸収性本体１０の肌側の面上に固定することもできる。
【００２１】
また、使い捨ておむつ７を併用する場合、展開型及びパンツ型の何れのタイプの使い捨ておむつでも良く、また、他の補助吸収性物品（尿吸収用パッド）６を併用する場合、その補助吸収性物品は、補助吸収性物品１と同様に、表裏面の何れもが液透過性のシートからなるものでも、裏面シート側が液不透過性のシートからなるものでも良い。
【００２２】
【発明の効果】
本発明の補助吸収性物品は、使い捨ておむつ及び／又は他の補助吸収性物品との併用により、漏れの発生を防止しつつ全体としての吸収性能を向上させることができ、尿の処理に伴う経済的、労力的な負担の一層の軽減を図ることができるものである。
【図面の簡単な説明】
【図１】図１は、本発明の一実施形態としての補助吸収性物品を裏面シート側の斜め上方から見た斜視図である。
【図２】図２は、図１のＸ−Ｘ断面を示す模式断面図であり、液誘導用シート部の自由端側が吸収性本体から離間した状態を示す図である。
【図３】図３は、図１に示す補助吸収性物品の一使用状態における断面を示す模式断面である。
【図４】図４は、図１に示す補助吸収性物品の変形例を示す断面図あり、液誘導用シート部の自由端が吸収性本体から離間していない状態を示す図である。
【図５】図５は、図１に示す補助吸収性物品の他の変形例を示す断面図であり、液誘導用シート部の自由端が吸収性本体から離間していない状態を示す図である。
【符号の説明】
１    補助吸収性物品
２    表面シート
３    裏面シート
４    吸収体
５    液誘導用シート部
５１  固定端
５２  自由端
５３  粘着部
５４  液不透過性又は撥水性のシート材
６    他の補助吸収性物品
７    使い捨ておむつ
【図１】
2004261442.tif 000003
【図２】
2004261442.tif 000004
【図３】
2004261442.tif 000005
【図４】
2004261442.tif 000006
【図５】
2004261442.tif 000007